(57)【要約】【課題】  カード収集家が安心してカード売買を行えるためのグレーディングシステム、カードケース、及びカードを提供すること。【解決手段】  顧客Ａは、コンピュータ１３−１を用いてネットワーク３に接続し、管理会社５のサーバコンピュータ7に対して、カード１５の鑑定、登録を依頼する。管理会社５は顧客Ａから送られたカード１５の鑑定を行い、鑑定結果及び顧客Ａの情報をカード情報１１としてデータベース９及びＩＣチップ３１に登録する。そして、管理会社５はカード１５とＩＣチップ３１とを顧客Ａに返却する。【選択図】  図１
2005317048.tif 000002
【特許請求の範囲】
【請求項１】
ネットワークに接続されたサーバコンピュータと、
前記ネットワークに接続された、カードの所有者側のコンピュータと、
を具備し、
前記サーバコンピュータは、前記カードの鑑定結果と、前記コンピュータから入力された前記カードの所有者情報を登録する登録手段を具備し、
前記登録手段は、前記カードの所有者が変更された場合に、前記カードの所有者情報を変更して登録することを特徴とするグレーディングシステム。
【請求項２】
ネットワークに接続されたサーバコンピュータと、
前記ネットワークに接続された、カード所有者側の第１のコンピュータと、
前記ネットワークに接続された、前記カードの購入希望者側の第２のコンピュータと、
を具備し、
前記サーバコンピュータは、前記カードの鑑定結果と、前記第１のコンピュータから入力された前記カードの所有者情報とを登録する登録手段と、
前記登録手段に登録された前記鑑定結果及び前記カードの所有者情報を、前記第２のコンピュータに照会する情報照会手段と、
を具備することを特徴とするグレーディングシステム。
【請求項３】
カードの鑑定結果と前記カードの所有者情報を登録する登録手段を具備し、
前記登録手段は、前記カードの所有者が変更された場合に、前記カードの所有者情報を変更して登録することを特徴とするサーバコンピュータ。
【請求項４】
更に、情報照会手段を具備し、
前記情報照会手段は、ネットワークを介して接続された、前記カードの購入希望者の有するコンピュータに対して、前記鑑定結果と前記所有者情報を照会することを特徴とする請求項３記載のサーバコンピュータ。
【請求項５】
本体ケースと蓋とを具備し、
前記本体ケースには、
カードを収納するカード収納部と、
ＩＣチップを収納するＩＣチップ収納部と、
を具備することを特徴とするカードケース。
【請求項６】
本体ケースと、蓋と、カバーとを具備し、
前記本体ケースは、
カードを収納するカード収納部と、
ＩＣチップを収納するＩＣチップ収納部と、
を具備し、
前記本体ケースに前記蓋を設け、前記蓋に前記カバーを設けることを特徴とするカードケース。
【請求項７】
前記蓋はサイン書き込み部を具備することを特徴とする請求項６記載のカードケース。
【請求項８】
前記ＩＣチップには、前記カードの鑑定情報が記録されることを特徴とする請求項５及び請求項６記載のカードケース。
【請求項９】
前記ＩＣチップには、前記カードの所有者情報が記録されることを特徴とする請求項５及び請求項６記載のカードケース。
【請求項１０】
前記所有者情報は、前記カードの所有者の履歴を含むことを特徴とする請求項９記載のカードケース。
【請求項１１】
ＩＣチップを具備し、
前記ＩＣチップには、カードの鑑定情報が記録されることを特徴とするカード。
【請求項１２】
ＩＣチップを具備し、
前記ＩＣチップには、カードの所有者情報が記録されることを特徴とするカード。
【請求項１３】
前記所有者情報は、前記カードの所有者の履歴を含むことを特徴とする請求項１２記載のカード。
【請求項１４】
ＩＣチップを具備し、
前記ＩＣチップには、画像データ、音声データのうち少なくともいずれかが記録されることを特徴とするカード。
【請求項１５】
前記ＩＣチップには、さらに、カードの鑑定情報が記録されることを特徴とする請求項１４に記載のカード。
【請求項１６】
前記ＩＣチップには、さらに、カードの所有者情報が記録されることを特徴とする請求項１４または請求項１５に記載のカード。
【請求項１７】
前記所有者情報は、前記カードの所有者の履歴を含むことを特徴とする請求項１６に記載のカード。
【発明の詳細な説明】
【技術分野】
【０００１】
本発明は、インターネット等のネットワークを介してトレーディングカードの鑑定を行うためのグレーディングシステム、グレーディングシステムを管理するサーバコンピュータ、鑑定されたカードを保護するカードケース、及びカードに関するものである。
【背景技術】
【０００２】
近年、日本のみならず、世界の各地において、トレーディングカードの収集家によるカードの収集や収集家同士によるトレーディングカードの交換、売買等が行われている。
トレーディングカード（以降、カードと称する）とは、プロスポーツ選手の写真やアニメのキャラクターなどの絵が印刷されたカードである。特に希少価値の高いカードは、高価な値段で売買される。
【発明の開示】
【発明が解決しようとする課題】
【０００３】
しかしながら、カードの売買が世界中で行われる状況の中で、売買・交換等の相手が遠方化し、カードの状態を直に確認することが困難となるといった問題がある。
また、昨今のインターネット技術等の発達により、ネットオークション等にカードが出品されることもあるが、そのカードの状態等を買う側が知ることは困難である。
【０００４】
本発明は、このような問題を鑑みてなされたもので、その目的とするところは、カード収集家が安心してカード売買・交換等を行うためのグレーディングシステム、カード、及びカードケースを提供することにある。
【課題を解決するための手段】
【０００５】
前述した目的を達成するための第１の発明は、ネットワークに接続されたサーバコンピュータと、前記ネットワークに接続された、カードの所有者側のコンピュータと、を具備し、前記サーバコンピュータは、前記カードの鑑定結果と、前記コンピュータから入力された前記カードの所有者情報とを登録する登録手段を具備し、前記登録手段は、前記カードの所有者が変更された場合に、前記カードの所有者情報を変更して登録することを特徴とするグレーディングシステムである。
第1の発明では、サーバコンピュータがカードの鑑定結果と、前記カードの所有者のコンピュータから入力された所有者情報とを保持し、前記カードの所有者が変更された場合に所有者情報を変更することを特徴とするものである。
【０００６】
第２の発明は、ネットワークに接続されたサーバコンピュータと、前記ネットワークに接続された、カード所有者側の第１のコンピュータと、前記ネットワークに接続された、前記カードの購入希望者側の第２のコンピュータと、を具備し、前記サーバコンピュータは、前記カードの鑑定結果と、前記第１のコンピュータから入力された前記カードの所有者情報とを登録する登録手段と、前記登録手段に登録された前記鑑定結果及び前記カードの所有者情報を、前記第２のコンピュータに照会する情報照会手段と、を具備することを特徴とするグレーディングシステムである。
第２の発明では、サーバコンピュータが、カードの鑑定結果と、前記カードの所有者の有する第１のコンピュータから入力された所有者情報とを保持し、前記カードの購入希望者の有する第２のコンピュータに対して、鑑定結果と所有者情報を照会するものである。
カード購入希望者はカードの鑑定結果や所有者情報を照会することによって、安心してカードを購入することができる。
【０００７】
第３の発明は、カードの鑑定結果と前記カードの所有者情報とを登録する登録手段を具備し、前記登録手段は、前記カードの所有者が変更された場合に、前記カードの所有者情報を変更して登録することを特徴とするサーバコンピュータである。
第３の発明では、サーバコンピュータがカードの鑑定結果と前記カードの所有者情報とを保持し、前記カードの所有者が変更された場合に所有者情報を変更することを特徴とするものである。
【０００８】
第４の発明は、本体ケースと蓋とを具備し、前記本体ケースには、カードを収納するカード収納部と、ＩＣチップを収納するＩＣチップ収納部と、を具備することを特徴とするカードケースである。
第４の発明であるカードケースは、カードとＩＣチップを保護するものであり、ＩＣチップにはカードの鑑定結果や所有者情報等を記録するものである。
即ち、ＩＣチップに記録されたデータを読み出すことによって、カードの評価やカードの所有者の履歴等が判る。
第５の発明は、本体ケースと、蓋と、カバーとを具備し、前記本体ケースは、カードを収納するカード収納部と、ＩＣチップを収納するＩＣチップ収納部と、を具備し、前記本体ケースに前記蓋を設け、前記蓋に前記カバーを設けることを特徴とするカードケースである。
第５の発明は、第４の発明であるカードケースの蓋に更にサイン書き込み部を設けるものであり、そのサイン書き込み部を保護するためのカバーを有するものである。
第６の発明は、ＩＣチップを具備し、前記ＩＣチップには、カードの鑑定情報が記録されることを特徴とするカードである。
第６の発明ではカード自身にＩＣチップが内蔵され、ＩＣチップにカードの鑑定情報等が記録される。即ち、ＩＣチップを読み取ればカードの鑑定情報を知ることができる。
第７の発明は、ＩＣチップを具備し、前記ＩＣチップには、カードの所有者情報が記録されることを特徴とするカードである。
第７の発明ではカード自身にＩＣチップが内蔵され、ＩＣチップにカードの所有者情報等が記録される。この所有者情報は、所有者の履歴に関する情報を含む。
第８の発明は、ＩＣチップを具備し、前記ＩＣチップには、画像データ、音声データのうち少なくともいずれかが記録されることを特徴とするカードである。
第８の発明ではカード自身にＩＣチップが内蔵され、ＩＣチップに画像データ（例えば、動画データ等）、音声データ等を記録することができる。ＩＣチップには、さらに、カードの鑑定情報、カードの所有者情報（カードの所有者の履歴等）を記録することができる。
【発明の効果】
【０００９】
以上、詳細に説明したように本発明によれば、カード収集家等によるカードの売買が安全に行うことができ、カード及びカードに関する情報も本発明のカードケースによって保護される。
【発明を実施するための最良の形態】
【００１０】
以下に、図面に基づいて本発明の実施の形態を詳細に説明する。図１は、本発明の実施の形態に係るグレーディングシステム１の概略構成図である。
ここで、グレーディングとはカードを鑑定することを意味する。
【００１１】
グレーディングシステム１は、ネットワーク３、サーバコンピュータ７、コンピュータ１３−１、コンピュータ１３−２等から構成される。
ネットワーク３はインターネット等である。
【００１２】
サーバコンピュータ７はネットワーク３に接続され、管理会社５に設置される。管理会社５はカードの鑑定業務等を行う。サーバコンピュータ７はカード情報１１を保持するデータベース９を有する。カード情報１１とはカード種別、カードの所有者に関する情報、鑑定結果等の情報である。
【００１３】
コンピュータ１３−１は顧客Ａに保持され、ネットワーク３に接続される。コンピュータ１３−２は顧客Ｂに保持され、ネットワーク３に接続される。
顧客Ａはカード１５を所有し、管理会社５にカード１５の鑑定を依頼したとする。以下、カード１５の鑑定処理について説明する。
【００１４】
管理会社５は顧客Ａからカード１５を受け取り、カード１５を鑑定する。カード１５の鑑定は、主にセンタリング、角、縁、表面の４項目から行われ、各項目別評価及び総合評価として評価点をつけることによって行われる。
この鑑定は、特殊な検査装置（図示せず）を用いて行われる。
【００１５】
鑑定されたカード１５はカードケース２１に収納される。図２はカードケース２１の構成を示す図である。カードケース２１は、ケース本体２３、蓋２５等からなる。
【００１６】
ケース本体２３は板状であり、その上面にカード収納部２６、ＩＣチップ収納部２７、シール収納部２９が凹状に設けられる。カード収納部２６にはカード１５が収納される。ＩＣチップ収納部２７にはＩＣチップ３１が収納される。シール収納部２９にはシール３３が収納される。
【００１７】
図３はケース本体２３と蓋２５とが密着されたカードケース２１を示す図である。カード収納部２６にカード１５を収納し、ＩＣチップ収納部２７にＩＣチップ３１を収納し、シール収納部２９にシール３３を収納し、蓋２５をかぶせる。ケース本体２３と蓋２５は、特殊な装置（図示せず）により超音波等を用いて完全に密着され、カード１５、ＩＣチップ３１等を保護する。
【００１８】
ここで、ケース本体２３、蓋２５はアクリル板等の硬質で透明な物質から作られおり、図３に示すＡ方向からもＢ方向からもケース本体２３、蓋２５を通してカード１５、ＩＣチップ３１、シール３３が見られるようになっている。
【００１９】
ＩＣチップ３１にはカード１５のカード情報１１等が登録される。図４はカード情報１１を示す図である。カード情報１１は、カードＩＤ４１、カード名称４２、…、カードスコア４３、センタリング４４、角４５、縁４６、表面４７、…、所有者氏名５０、住所５１、購入日５２、…、所有者氏名６０、住所６１、購入日６２、…等からなる。
【００２０】
カードＩＤ４１、カード名称４２、…等はカード種別を示す項目である。カードＩＤ４１はカード１５の識別番号である。カード名称４２は、例えばカード１５に写真が印刷されるスポーツ選手の選手名等を示す。
【００２１】
カードスコア４３、センタリング４４、角４５、縁４６、表面４７、…はカード１５の鑑定結果に関する項目であり、センタリング４４はカード１５の中央部を、角４５はカード１５の角部を、縁４６はカード１５のエッジ部分を、表面４７はカード１５の表裏両面の表面を示す。カードスコア４３の欄は総合評価点を、センタリング４４、角４５、縁４６、表面４７の各欄は各鑑定項目別の評価点を示すものである。
【００２２】
所有者氏名５０、住所５１、購入日５２、…、所有者氏名６０、住所６１、購入日６２、…はカード１５の過去、及び現在の所有者に関する情報である。例えば、所有者氏名５０、住所５１、購入日５２、…には現在の所有者である顧客Ａに関する情報が記載されており、所有者氏名６０、住所６１、購入日６２、…には顧客Ａの以前にカード１５を所有していた所有者に関する情報が記載されている。
【００２３】
このようにＩＣチップ３１にはカード情報１１が登録される。即ち、ＩＣチップ３１を読み取ることによって、カード種別、カードの鑑定結果、所有者の履歴等がわかる。
また、ＩＣチップ３１には、例えばカード１５に写真が印刷されたスポーツ選手等の声や動画などを記録しておくことも可能である。
【００２４】
シール３３にはカード種別や鑑定結果の評価点等、カード１５を確認するために必要な情報が記載される。シール３３は顧客Ａの希望により添付しなくてもよい。
【００２５】
このようにカードケース２１を用いれば、カード１５やＩＣチップ３１を外傷から保護すると共に、ＩＣチップ３１やシール３３を取り出して情報を複製したり、書き換えるなどといった行為を防止する。
【００２６】
次に、本システムによる鑑定、売買処理について説明する。
図５は、グレーディングシステム１によるカードの売買処理を示すフローチャートである。顧客Ａは管理会社５に対してカード１５の鑑定・登録を依頼する（ステップ２０１）。
【００２７】
この際、顧客Ａは、コンピュータ１３−１を用いて、ネットワーク３を介して、氏名、住所、メールアドレス等の個人情報をサーバコンピュータ７に通知して、カード１５の鑑定を依頼する。更に、顧客Ａは管理会社５にカード１５を郵送するか、または持参する。
【００２８】
管理会社５は顧客Ａから受け取ったカード１５を鑑定装置等を用いて鑑定し、カード情報１１をデータベース９、及びＩＣチップ３１に登録する（ステップ２０２）。サーバコンピュータ７は、前述のカード１５のカード種別、顧客Ａの個人情報（所有者情報）、カード１５の鑑定結果等をカード情報１１としてデータベース９及びＩＣチップ３１に登録する。
【００２９】
次に、管理会社５は、カード１５、ＩＣチップ３１等をカードケース２１に入れて顧客Ａに返却する（ステップ２０３）。
【００３０】
次に、顧客Ａはカード１５の売却を希望し、コンピュータ１３−１を用いて、ネットワーク３上のオークションにカード１５を出品する（ステップ２０４）。この際、顧客Ａは、カード１５が管理会社５によって鑑定済みであることを通知する。
【００３１】
ここで、顧客Ｂがコンピュータ１３−２を用いてネットワーク３上のオークションに出品されたカード１５を見て、購入を希望したとする。顧客Ｂは、コンピュータ１３−２から管理会社５のサーバコンピュータ７に対して、カード１５に関するカード情報１１の照会を要求する（ステップ２０５）。この際、顧客Ｂは自身の氏名、住所、メールアドレス等の個人情報をサーバコンピュータ７に通知する。
【００３２】
サーバコンピュータ７は、カード１５のカード情報１１の一部又はすべてを顧客Ｂのコンピュータ１３−２に通知するとともに、顧客Ａのコンピュータ１３−１に対しても、顧客Ｂに通知したカード情報１１の内容や顧客Ｂに関する個人情報を通知する（ステップ２０６）。
【００３３】
顧客Ａ、顧客Ｂは、サーバコンピュータ７から通知された情報を基にカード１５の売買に関する情報交換を行い、売買が成立したら、顧客Ａはカード１５を売却し（ステップ２０７）、顧客Ｂはカード１５を購入する（ステップ２０８）。
【００３４】
即ち、顧客Ａは顧客Ｂにカード１５を売却し、顧客Ｂは顧客Ａに代金を支払う。管理会社５は顧客Ａからカードケース２１を受け取り、ＩＣチップ３１とデータベース９の所有者情報の変更、再登録を行い（ステップ２０９）、その後カードケース２１を顧客Ｂに送る。管理会社５は、カード１５の所有者が顧客Ａから顧客Ｂに変わったことをＩＣチップ３１やデータベース９のカード情報１１に登録する。
【００３５】
尚、顧客Ａは、カード１５の鑑定料、及びカード情報の登録料、カードケース２１の料金等を管理会社５に支払う。
また、顧客Ｂはカード１５に対する情報照会料等を管理会社５に支払い、カード１５の代金を顧客Ａに支払う。
また、顧客Ａ、顧客Ｂとも、管理会社５に対してカード売買の仲介処理を依頼した場合に仲介料を管理会社５に支払う。
【００３６】
また、図２に示す処理では顧客Ａ自身がネットオークションにカード１５を出品したが、管理会社５に売却処理を依頼しても良い。この場合、管理会社５は自身のインターネットホームページ等にカード１５の売却情報を提示するなどして購入希望者を募る。
【００３７】
以上説明したように、グレーディングシステム１によって、カード１５の鑑定が行われ、カード１５の価値が保証されると共に、顧客Ａ、顧客Ｂは安心してカード１５の売買を行うことができる。
【００３８】
また、カード１５はカードケース２１に入れることにより外傷から保護され、かつＩＣチップにカード情報等を保持することで他人には知られたくない情報もカードと共に安全に保持することができる。
【００３９】
尚、カード１５にＩＣチップ３１を内蔵させることもできる。ＩＣチップ３１には、前述のようにカード情報１１が登録され、カード１５の所有者が変更されると、カード情報１１を書き換えることができる。
【００４０】
次に、カードケースに係る他の実施の形態について説明する。図６は、カードケース１０１の斜視図を示す図であり、図７は図６に示すＰ方向から見たカードケース１０１を示す図である。図８はカードケース１０１の各部の構成を示す図である。
【００４１】
カードケース１０１は、ケース本体２３、蓋１００、カバー１０２等からなる。ケース本体２３は図２に示すカードケース２１のそれと同様の構造を有する。
図８に示すように、蓋１００の上面には、サイン書き込み部１１１が設けられる場合もある。サイン書き込み部１１１には、例えばカードに記載されたスポーツ選手等にサイン等を書き込んでもらう部分であり、サインが書きやすいように表面処理が施されている。
【００４２】
図６、図７に示すように、蓋１００の両端には押え支持部１０３−１、１０３−２が設けられる。押え支持部１０３−１、１０３−２はそれぞれ押え部１０５−１、１０５−２を支持するものである。押え部１０５−１、１０５−２は両端からケース内側方向に突出した突起である。
【００４３】
図７に示すように、押え支持部１０３−１、１０３−２及び押え部１０５−１、１０５−２は、蓋２５との間に溝部１０７−１、１０７−２を形成する。溝部１０７−１、１０７−２にカバー１０２の両端をはめ込むことによって、カバー１０２と蓋１００が密着する。カバー１０２は蓋１００に設けられたサイン書き込み部１１１を保護するものである。カバー１０２はフィルムでもよい。
【００４４】
こうして、ケース本体２３、蓋１００、カバー１０２は図６、図７に示すように密着される。
このようにサイン書き込み部１１１の上にカバー１０２が設けられるので、サイン書き込み部１１１に直接手が接触することが無く、サイン書き込み部１１１に書き込まれたサインに対する汚れ等の付着を防止できる。
【００４５】
尚、蓋１００の４辺に押え支持部１０３と押え部１０５を設け、カバー１０２をはめ込み、蓋１００の上面に密着させても良い。
また、押え支持部１０３、押え部１０５を設けなくても、カバー１０２を蓋１００の上面に圧着または溶着等して設けることも可能である。
【図面の簡単な説明】
【００４６】
【図１】本発明の実施の形態に係るグレーディングシステム１の概略構成図
【図２】カードケース２１の構成を示す図
【図３】蓋と本体ケースが密着したカードケース２１を示す図
【図４】カード情報１１を示す図
【図５】グレーディングシステム１によるカード鑑定・売買処理を示すフローチャート
【図６】カードケース１０１の斜視図
【図７】Ｐ方向から見たカードケース１０１を示す図
【図８】カードケース１０１を構成する各部位を示す図
【符号の説明】
【００４７】
１………グレーディングシステム
３………ネットワーク
５………管理会社
７………サーバコンピュータ
１１………カード情報
１３−１、１３−２………コンピュータ
１５………カード
２１………カードケース
３１………ＩＣチップ
【図１】
2005317048.tif 000003
【図２】
2005317048.tif 000004
【図３】
2005317048.tif 000005
【図４】
2005317048.tif 000006
【図５】
2005317048.tif 000007
【図６】
2005317048.tif 000008
【図７】
2005317048.tif 000009
【図８】
2005317048.tif 000010